(57)【要約】  【課題】  カバーカップのデッキプレートへの溶接を手軽に、且つ確実に行うことのできる溶接装置を提供する。  【解決手段】  デツキプレート(３)に仮付けされているカバーカップ(２)に装着可能な位置決め具(４)と、この位置決め具(４)を着脱可能に保持する保持枠(５)と、この保持枠(５)の上面に着脱可能に設置される溶接ユニット(６)とで構成されている。保持枠(５)は一対の環状板(８)(９)を少なくとも３本の連結ロツド(７)で連結して構成してある。保持枠(５)の下側環状板(９)はその下面に磁石式固定手段(10)を配置すると共に、その上面に位置決め具(４)の位置決め用ガイド具(11)を位置させてあある。位置決め具(４)は保持枠(５)の下側環状板(９)に装着固定されてる環状板(12)とこの環状板(12)からその内径側に連出した少なくとも３個のＬ形の脚片(14)とで構成した。【選択図】    図１
2009160634.tif 000002
【特許請求の範囲】
【請求項１】
デッキプレート(３)に穿孔されたラッシングホール(27)を覆う状態に配置されたカバーカップ(２)をデッキプレートに溶接するための溶接装置であって、
カデツキプレート(３)に仮付けされたカバーカップ(２)に装着可能な位置決め具(４)と、この位置決め具(４)を着脱可能に保持する保持枠(５)と、この保持枠(５)の上面に着脱可能に設置される溶接ユニット(６)とからなり、保持枠(５)は少なくとも３本の連結ロッド(７)で連結した一対の環状板からなり、保持枠(５)の下側環状板(９)はその下面に磁石式固定手段(10)を配置すると共に、その上面に位置決め具(４)の位置決め用ガイド具(11)を位置させてあり、位置決め具(４)は保持枠(４)の下側環状板(９)に装着固定される環状板(12)とこの環状板(12)から環状板中心方向に連出してカバーカップ(２)の周側壁部分に当接する少なくとも３個のＬ形の脚片(14)とで構成したことを特徴とするラッシングホールカバー溶接装置。
【請求項２】
溶接ユニット(６)を溶接トーチ(20)が円運動する半自動溶接装置で構成した請求項１に記載のラッシングホールカバー溶接装置。
【請求項３】
溶接ユニット(６)を溶接トーチ(20)が円運動する自動溶接装置で構成した請求項１に記載のラッシングホールカバー溶接装置。
【発明の詳細な説明】
【技術分野】
【０００１】
本発明は、自動車運搬船などの船舶でのデッキプレートに設けられるラッシングホールを覆う状態に取り付けられるラッシングホールカバーの溶接装置に関する。
【背景技術】
【０００２】
例えば、自動車運搬船等では、搬送品である自動車を収納デツキに整列収容し、ロープや帯紐などの索体を用いて固縛している。この固縛用の索体は収納デッキプレートに多数設けられたラッシングホールに繋属してある。
【０００３】
このラッシングホールは、船舶の上下方向で複数階に配置されている収納デツキのデッキプレートにそれぞれ複数列複数行に開設されており、ラッシングホールを覆う状態で半球殻状のカバーカップが各デッキプレートの下面部分に固定されている。そして、このカバーカップは上階からの水が下の階に滴下しないように水密上に固定することが求められることから、一般にカバーカップはデッキプレートに溶接で固定されている。
【特許文献１】特開平１１−２７８３６９
【発明の開示】
【発明が解決しようとする課題】
【０００４】
従来、カバーカップをデッキプレートに溶接する場合、カバーカップの中心線上を押圧するクランプ機構を備えた自動溶接装置あるいは半自動溶接装置を用いてデッキプレートとカバーカップの外周縁部分とで形成される溶接部分を円周溶接するようにしている。ところが、カバーカップの中心線と自動溶接装置あるいは半自動溶接装置の作動中心線とを一致させることが難しく、カバーカップの円周部分を正確に溶接することが難しいという問題があった。また、デツキプレートの平面性やカバーカップの加工精度から充分な溶接精度を確保することが難しいという問題もあった。
【０００５】
さらに、カバーカップを溶接する溶接箇所が多数ある上、デツキプレートには、補強用のリブが縦横に走ることになる。このため押圧するクランプ機構を備えた自動溶接装置あるいは半自動溶接装置ではその重量が重く、溶接装置の次の溶接個所への移動が重労働となる上、重い溶接装置を溶接個所の正規の位置にセットする為の取り扱いが面倒であるという問題もあった。
【０００６】
本発明は、このような点に着目してなされたもので、カバーカップのデッキプレートへの溶接を手軽に、且つ確実に行うことのできるラッシングホールカバー溶接装置を提供することを目的とする。
【課題を解決するための手段】
【０００７】
上述の目的を達成するために請求項１に記載した本発明は、デッキプレートに穿孔されたラッシングホールを覆う状態に配置されたカバーカップをデッキプレート溶接するための溶接装置を、デツキプレートに仮付けされたカバーカップに装着可能な位置決め具と、この位置決め具を着脱可能に保持する保持枠と、この保持枠の上面に着脱可能に設置される溶接ユニットとで構成し、保持枠を少なくとも３本の連結ロツドで連結した一対の環状板で構成し、保持枠の下側環状板はその下面に磁石式固定手段を配置すると共にその上面に位置決め具の位置決め用ガイド具を位置させてあり、位置決め具は保持枠の下側環状板に装着固定されてる環状板とこの環状板から環状板中心方向に連出し、カバーカップの周側壁部分に当接する少なくとも３個のＬ形の脚片とで構成したことを特徴としている。
【発明の効果】
【０００８】
本発明に係るラッシングホールカバー溶接装置は、カバーカップの外周面に当接する位置決め具を保持枠に対して着脱可能に構成すると共に、保持枠に溶接装置を着脱可能に配置するように構成してあることから、位置決め具と溶接装置とを保持枠に設置することにより、カバーカップの中心線と溶接装置での溶接トーチ作動中心線とを容易に一致させることができる。
【０００９】
また、カバーカップの外周面と当接して保持する位置決め具を保持枠の下側環状板に装着固定される環状板と、この環状板から環状板中心方向に連出してカバーカップの周側壁部分に当接する少なくとも３個のＬ形の脚片とで構成し、この位置決め具を保持枠に着脱可能に構成してあることから、位置決め具のサイズを変えることで、容易にカバーカップサイズの変更に対応することができる。
【００１０】
さらに、保持枠に溶接装置を着脱可能に構成してあることから、溶接個所を順次移動する際に、軽量の保持枠をデツキプレートのラッシングホール部分にセットしたのち、位置決め具や溶接装置をセットするだけで、容易に正規の溶接位置に正規の姿勢でセットすることができ、全体としての溶接作業が容易になる。
【発明を実施するための最良の形態】
【００１１】
図は本発明に係るラッシングホールカバー溶接装置の一実施形態を示し、図１は全体斜視図、図２は正面図、図３は溶接作業状態を示す要部の取り出し斜視図、図４は要部の断面図を示す。
このラッシングホールカバー溶接装置(１)は、デツキプレート(３)に仮付けされているカバーカップ(２)に装着可能な位置決め具(４)と、このクランブ具(４)を着脱可能に保持する保持枠(５)と、この保持枠(５)の上面に着脱可能に設置される溶接ユニット(６)とで構成されている。
【００１２】
保持枠(５)は少なくとも３本の連結ロツド(７)とこの連結ロツド(７)で連結した上下一対の環状板(８)(９)からなり、保持枠(５)の下側環状板(９)はその下面に磁石式固定手段(10)を配置するとともに、その上面に位置決め具(４)の位置決め用ガイド具(11)を位置させてある。
【００１３】
位置決め具(４)は保持枠(５)の下側環状板(９)に装着固定される環状板(12)とこの環状板(12)から環状板中心方向に連出しカバーカップ(２)の周側壁部分(13)に当接する少なくとも３個のＬ形の脚片(14)とで構成してある。
【００１４】
保持枠(５)の上側環状板(８)の上面には、溶接ユニット(６)を位置決め保持するための位置決めガイド具(15)が配設してある。そして、溶接ユニット(６)は上側環状板(８)に載置して保持される基板(16)と、この基板(16)の上に配設固定した溶接制御ボックス(17)と、基板(16)を上下に貫通する状態で配置した溶接トーチ支持パイプ(18)と、この溶接トーチ支持パイプ(18)にトーチ調節具(19)を介して保持されている溶接トーチ(20)と、基板(16)上に配置され、回転伝動機構(21)を介して前記溶接トーチ支持パイプ(18)に連動連結されている駆動モータ(22)とで構成してある。
【００１５】
図中符号(23)は位置決め具(４)に形成したハンドル、(24)は保持枠(５)の上側環状板(８)の上面に配置した保持枠持上げハンドル、(25)は磁石式固定手段(10)の操作摘み、(26)は保持枠(５)に形成したケーブルハンガー、(27)はデッキプレート(３)に溶着固定された補強用のリブ、(28)はデッキプレート(３)に穿設されているラッシングホールである。
【００１６】
上述の構成からなるラッシングホールカバー溶接装置でのカバーカップ(２)の溶接手順を図５を参照しながら説明する。
図５では図示を省略しているデッキプレート(３)のラッシングホール(27)の対応個所にカバーカップ(２)を設置する(手順１)。
次に、デツキプレート(３)上に仮付けされているカバーカップ(２)に位置決め具(４)を保持している保持枠(５)を上から被せ付けて、保持枠(５)をデッキプレート(３)に磁石式固定手段(10)を用いて磁力吸着保持させる(手順２)。
【００１７】
保持枠(５)のデッキプレート(３)への固定が終わると、保持枠(５)から位置決め具(４)を取り除く(手順３)。
デツキプレート(３)に固定されている保持枠(５)に溶接ユニット(６)を載置して保持し、カバーカップ(２)の周端部をデツキプレート(３)に円周溶接により溶着する(手順４)。
【００１８】
上記実施形態のラッシングホールカバー溶接装置では、溶接ユニット(６)を保持枠(５)に対して着脱可能に構成していることから、デッキプレート(３)への保持枠(５)のセットを重量物である溶接ユニット(６)を外した状態で行うことができるから、軽量の保持枠(５)および位置決め具(４)を操作することにより正規の位置への保持枠(５)のセットを行うことができ、作業性を高めることができる。
【００１９】
この結果、デツキプレート(３)の表面に、補強リブ(26)やウエブプレートが突設されていても、保持枠(５)が軽量であることから、補強リブ(26)やウエブプレートを超えての保持枠(５)のセットを容易に行うことができることになり、これもまた作業性を高めることができる。
【００２０】
さらに、保持枠(５)を介して、位置決め具(４)の軸芯と、溶接ユニット(６)の溶接トーチ回転中心軸とを容易に合致させることができるから、カバーカップ(２)の外周縁部分と溶接線とを容易に一致させることができ、溶接作業の作業性を高めることができる。
【００２１】
また、１台の溶接ユニット(６)に対して、複数の保持枠(５)と複数の位置決め具(４)とを用意することで、複数の溶接個所への対応を迅速且つ容易に行うことができ、作業性をより高めることができる。
【産業上の利用可能性】
【００２２】
本発明は、自動車運搬船などの船舶でのデッキプレートに設けられるラッシングホールへのカバーカップの溶接や平板でのプラグ溶接や栓溶接などにも利用可能である。
【図面の簡単な説明】
【００２３】
【図１】一実施形態の全体斜視図を示す。
【図２】正面図を示す。
【図３】溶接作業状態を示す要部の取り出し斜視図を示す。
【図４】要部の断面図を示す。
【図５】カバーカップの溶接手順を示す手順図である。
【符号の説明】
【００２４】
３…デッキプレート、２…カバーカップ、４…位置決め具、５…保持枠、６…溶接ユニット、８・９…保持枠の環状板、７…保持枠の連結ロツド、10…磁石式固定手段、11…位置決め具の位置決め用ガイド具、12…位置決め具の環状板、14…位置決め具の脚片。
【図１】
2009160634.tif 000003
【図２】
2009160634.tif 000004
【図３】
2009160634.tif 000005
【図４】
2009160634.tif 000006
【図５】
2009160634.tif 000007